【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
逆方向トリック・モードを実行する方法であって、
非プログレッシブ・ビデオ信号を受信するステップと、
前記非プログレッシブ・ビデオ信号を符号化して、少なくとも１つの予測ソース・ピクチャおよび少なくとも１つの非予測ソース・ピクチャを有する少なくとも１つのピクチャ群であり、全ての非予測ソース・ピクチャが前記少なくとも１つの予測ソース・ピクチャから予測されて、非予測ソース・ピクチャが別の非予測ソース・ピクチャから予測されないようになっている少なくとも１つのピクチャ群にするステップと、
逆方向トリック・モード・コマンドに応答して、前記ピクチャ群を逆順序で表示できるようにするために前記ピクチャ群の表示順序を変更するステップとを含む、前記方法。
【請求項２】
前記非プログレッシブ・ビデオ信号を記憶媒体に記録するステップと、
前記非プログレッシブ・ビデオ信号を再生するステップとをさらに含む、請求項１に記載の方法。
【請求項３】
前記逆方向トリック・モード・コマンドに応答して、少なくとも前記ピクチャ群内の非予測ソース・ピクチャの数を変更するステップをさらに含む、請求項１に記載の方法。
【請求項４】
前記予測ソース・ピクチャがイントラ符号化画像である、請求項１に記載の方法。
【請求項５】
前記非予測ソース・ピクチャの少なくとも一部が双方向予測符号化画像である、請求項１に記載の方法。
【請求項６】
前記非予測ソース・ピクチャの少なくとも一部が予測符号化画像である、請求項１に記載の方法。
【請求項７】
前記双方向予測符号化画像がそれぞれ、一方向の双方向予測符号化画像である、請求項５に記載の方法。
【請求項８】
前記変更ステップが、前記ピクチャ群内の少なくとも１つの非予測ソース・ピクチャをスキップするステップを含む、請求項３に記載の方法。
【請求項９】
前記変更ステップが、少なくとも１つの非予測ソース・ピクチャの複製を前記ピクチャ群に挿入するステップを含む、請求項３に記載の方法。
【請求項１０】
前記少なくとも１つのスキップされる非予測ソース・ピクチャが、前記ピクチャ群内の表示順序が最後のピクチャである予測符号化画像であり、
前記ピクチャ群内で表示順序がその直前である非予測ソース・ピクチャを、前記直前の非予測ソース・ピクチャが予測符号化画像でない限り、予測符号化画像に変換するステップをさらに含む、請求項８に記載の方法。
【請求項１１】
予測ソース・ピクチャおよび非予測ソース・ピクチャがそれぞれ表示指示を含み、
所望の表示順序を反映するように、予測ソース・ピクチャおよび非予測ソース・ピクチャの少なくとも一部の表示指示を変更するステップをさらに含む、請求項１に記載の方法。
【請求項１２】
前記表示指示が時間的参照フィールドである、請求項１１に記載の方法。
【請求項１３】
予測ソース・ピクチャおよび非予測ソース・ピクチャがそれぞれ表示指示を含み、
所望の表示順序を反映するように、予測ソース・ピクチャおよび非予測ソース・ピクチャの少なくとも一部の表示指示を変更するステップをさらに含む、請求項３に記載の方法。
【請求項１４】
前記表示指示が時間的参照フィールドである、請求項１３に記載の方法。
【請求項１５】
前記変更ステップの後に、変更後のピクチャ群内の最後の非予測ソース・ピクチャが予測符号化画像でない限り、変更後のピクチャ群内の最後の非予測ソース・ピクチャを予測符号化画像に変換するステップをさらに含む、請求項１に記載の方法。
【請求項１６】
前記変更ステップの後に、前記予測ソース・ピクチャより表示順序が先の非予測ソース・ピクチャを双方向予測符号化画像に選択的に変換するステップをさらに含む、請求項１に記載の方法。
【請求項１７】
遠隔デコーダ・システムにおいて前記受信ステップ、前記符号化ステップおよび前記変更ステップを実行するステップをさらに含む、請求項１に記載の方法。
【請求項１８】
前記予測ソース・ピクチャおよび前記非予測ソース・ピクチャの少なくとも一部をフィールド・ピクチャに符号化するステップをさらに含む、請求項１７に記載の方法。
【請求項１９】
非プログレッシブ・ビデオ信号を符号化して、少なくとも１つの予測ソース・ピクチャおよび少なくとも１つの非予測ソース・ピクチャを有する少なくとも１つのピクチャ群であり、全ての非予測ソース・ピクチャが前記少なくとも１つの予測ソース・ピクチャから予測されて、非予測ソース・ピクチャが別の非予測ソース・ピクチャから予測されないようになっている少なくとも１つのピクチャ群にするプロセッサと、
前記ピクチャ群を復号するデコーダとを含む、逆方向トリック・モードを実行するシステムであって、
前記プロセッサが、逆方向トリック・モード・コマンドに応答して、前記ピクチャ群を逆順序で表示できるようにするために前記ピクチャ群の表示順序を変更するようにさらにプログラムされる、前記システム。
【請求項２０】
前記非プログレッシブ・ビデオ信号を記憶媒体に記録し、前記非プログレッシブ・ビデオ信号を再生する制御装置をさらに含む、請求項１９に記載のシステム。
【請求項２１】
前記プロセッサが、前記逆方向トリック・モード・コマンドに応答して、少なくとも前記ピクチャ群内の非予測ソース・ピクチャの数を変更するようにさらにプログラムされる、請求項１９に記載のシステム。
【請求項２２】
前記予測ソース・ピクチャがイントラ符号化画像である、請求項１９に記載のシステム。
【請求項２３】
前記非予測ソース・ピクチャの少なくとも一部が双方向予測符号化画像である、請求項１９に記載のシステム。
【請求項２４】
前記非予測ソース・ピクチャの少なくとも一部が予測符号化画像である、請求項１９に記載のシステム。
【請求項２５】
前記双方向予測符号化画像がそれぞれ、一方向の双方向予測符号化画像である、請求項２３に記載のシステム。
【請求項２６】
前記プロセッサが、前記ピクチャ群内の少なくとも１つの非予測ソース・ピクチャをスキップするようにさらにプログラムされる、請求項２１に記載のシステム。
【請求項２７】
前記プロセッサが、少なくとも１つの非予測ソース・ピクチャの複製を前記ピクチャ群に挿入するようにさらにプログラムされる、請求項２１に記載のシステム。
【請求項２８】
前記少なくとも１つのスキップされる非予測ソース・ピクチャが、前記ピクチャ群内の表示順序が最後のピクチャである予測符号化画像であり、
前期プロセッサが、前記ピクチャ群内で表示順序がその直前である非予測ソース・ピクチャを、前記直前の非予測ソース・ピクチャが予測符号化画像でない限り、予測符号化画像に変換するようにさらにプログラムされる、請求項２６に記載のシステム。
【請求項２９】
予測ソース・ピクチャおよび非予測ソース・ピクチャがそれぞれ表示指示を含み、
前期プロセッサが、所望の表示順序を反映するように、予測ソース・ピクチャおよび非予測ソース・ピクチャの少なくとも一部の表示指示を変更するようにさらにプログラムされる、請求項１９に記載のシステム。
【請求項３０】
前記表示指示が時間的参照フィールドである、請求項２９に記載のシステム。
【請求項３１】
予測ソース・ピクチャおよび非予測ソース・ピクチャがそれぞれ表示指示を含み、
前期プロセッサが、所望の表示順序を反映するように、予測ソース・ピクチャおよび非予測ソース・ピクチャの少なくとも一部の表示指示を変更するようにさらにプログラムされる、請求項２１に記載のシステム。
【請求項３２】
前記表示指示が時間的参照フィールドである、請求項３１に記載のシステム。
【請求項３３】
前記プロセッサが、変更後のピクチャ群内の最後の非予測ソース・ピクチャが予測符号化画像でない限り、変更後のピクチャ群内の最後の非予測ソース・ピクチャを予測符号化画像に変換するようにさらにプログラムされる、請求項１９に記載のシステム。
【請求項３４】
前記プロセッサが、前記予測ソース・ピクチャより表示順序が先の非予測ソース・ピクチャを双方向予測符号化画像に選択的に変換するようにさらにプログラムされる、請求項１９に記載のシステム。
【請求項３５】
前記プロセッサおよび前記デコーダが、遠隔デコーダ・システムの一部である、請求項１９に記載のシステム。
【請求項３６】
前記プロセッサが、前記予測ソース・ピクチャおよび前記非予測ソース・ピクチャの少なくとも一部をフィールド・ピクチャに符号化するようにさらにプログラムされる、請求項３５に記載のシステム。